(57)【要約】【課題】上側のスラット部と下側のスクリーン部とからなるシャッターカーテンを案内するガイドレールにおいて、シャッターカーテン降下時にスラット部が所定の高さ位置よりも下方に降下することを防止すると共に、スクリーン部端部がガイドレールから抜け出ることがないような防火シャッターを提供する。【解決手段】ガイドレール１は、底部１ａと、対向状の側部１ｂと、その間に開口溝１ｄを形成する２つの前部１ｃと、を備えており、底部１ａにはガイドレール内側に位置して、シャッターカーテン降下時にシャッターカーテン２に形成した当接部７Ａが当接する被当接部１０１を形成するストッパ１０を設け、２つの前部１ｃにはガイドレール外側に位置して、その間にガイドレール１に対する呑み込み量が浅いスクリーン部８の端部を受け入れるガイド溝Ｇを形成する長尺状のレールカバー１１を設けた。【選択図】図４
2008220540.tif 000002
【特許請求の範囲】
【請求項１】
金属製スラットからなる上側のスラット部と、シートからなる下側のスクリーン部とから構成されたシャッターカーテンと、
前記シャッターカーテンの端部を受け入れて案内するガイドレールと、
を備えた防火シャッターであって、
前記ガイドレールは、底部と、対向状の側部と、その間に開口溝を形成する２つの前部と、を備えており、
前記底部にはガイドレール内側に位置して、シャッターカーテン降下時に当該シャッターカーテンに形成した当接部が当接する被当接部を形成するストッパを設け、
前記スクリーン部の幅寸法は前記ストッパを避けるように前記スラット部の幅寸法よりも小さい寸法となっており、
前記２つの前部にはガイドレール外側に位置して、その間にスクリーン部の端部を受け入れるガイド溝を形成する長尺状のレールカバーを設けてなる、
防火シャッター。
【請求項２】
前記ストッパは、ガイドレールの開口溝からガイドレールの内部に挿入可能に構成されている、請求項１に記載の防火シャッター。
【請求項３】
前記ストッパは、ガイドレール下方部位の開口部全閉時のスクリーン部に対応する部位に沿って長さ方向に延出する長尺状の本体を備え、前記本体の下面は床面に接地しており、前記本体の上面に被当接部が形成されている、請求項１，２に記載の防火シャッター。
【請求項４】
前記ストッパは、ガイドレール下方部位の開口部全閉時のスクリーン部に対応する部位に沿って長さ方向に延出する長尺状の本体と、前記本体の上面に設けた被当接部と、を備えており、前記本体の幅寸法はガイドレールの開口溝の幅寸法よりも小さい寸法を有しており、前記被当接部はガイドレールの開口溝から挿入可能な形状・寸法を有している、請求項１乃至３いずれかに記載の防火シャッター。
【請求項５】
前記レールカバーは、開口部全閉時のスクリーン部に対応する部位に位置して設けてある、請求項１乃至４いずれかに記載の防火シャッター。
【請求項６】
前記レールカバーは、ガイドレールの開口溝より幅狭のガイド溝を形成する、請求項１乃至５いずれかに記載の防火シャッター。
【発明の詳細な説明】
【技術分野】
【０００１】
本発明は、上側のスラット部と下側のスクリーン部とからなるシャッターカーテンを備えた防火シャッターに関するものである。
【背景技術】
【０００２】
防火・防煙用のシャッター装置として、シャッターカーテン上側部位を占める金属製スラットと、シャッターカーテン下側部位を占める耐火シートと、から構成されたシャッターカーテンを備えた防火シャッターが提案されている（特許文献１）。このものは、シャッターカーテンの下側部位をシートからなるスクリーン部で構成することで、降下するシャッターカーテンと床面との間に避難者が挟まれた場合であっても、自力で脱出することができるようにしたものである。
【０００３】
上記防火シャッターでは、開口部全閉時にシャッターカーテン下方部位をシートから構成するため、開口部全閉時において本来シートが位置する高さ位置までスラット部が降下しないように下限位置を設定する必要がある。降下するスラット部が所定の高さ位置まで来たときに当接するストッパを設けて下限位置を設定するためには、当該ストッパはシートの降下を許容してシートの降下を妨げないものであることが必要となる。
【０００４】
一方、開口部全閉時にシートに外力が働いた場合や、床にある障害物を挟むことによってシートが撓む場合等により、シートの端部がガイドレールから抜け出すことを防止する必要がある。シートの端部がガイドレールから抜け出ると元に復帰することは難しく、復帰しない場合には防火シャッターとしての遮煙性に影響を与えることになる。
【特許文献１】特許第３６７７６１５号
【発明の開示】
【発明が解決しようとする課題】
【０００５】
本発明は、上側のスラット部と下側のスクリーン部とからなるシャッターカーテンを案内するガイドレールにおいて、シャッターカーテン降下時にスラット部が所定の高さ位置よりも下方に降下することを防止すると共に、スクリーン部端部がガイドレールから抜け出ることがないような防火シャッターを提供することを目的とする。
【課題を解決するための手段】
【０００６】
かかる課題を達成するために本発明が採用した技術手段は、金属製スラットからなる上側のスラット部と、シートからなる下側のスクリーン部とから構成されたシャッターカーテンと、前記シャッターカーテン（スラット部及びスクリーン部）の端部を受け入れて案内するガイドレールと、を備えた防火シャッターであって、前記ガイドレールは、底部と、対向状の側部と、その間に開口溝を形成する２つの前部と、を備えており、前記底部にはガイドレール内側に位置して、シャッターカーテン降下時に当該シャッターカーテンに形成した当接部が当接する被当接部を形成するストッパを設け、前記スクリーン部の幅寸法は前記ストッパを避けるように前記スラット部の幅寸法よりも小さい寸法となっており、前記２つの前部にはガイドレール外側に位置して、その間にスクリーン部の端部を受け入れるガイド溝を形成する長尺状のレールカバーを設けてなる、防火シャッター、である。前記シャッターカーテンに形成した当接部は、シャッターカーテンの部分でも、シャッターカーテンに取り付けられた部材でもよい。一つの好ましい態様では、当接部は、開口部全閉時のスクリーン部の上端の高さ位置に略対応する部位に形成される。
【０００７】
好ましい態様では、前記ストッパは、ガイドレールの開口溝からガイドレールの内部に挿入可能に構成されている。より具体的な構成としては、ストッパが開口溝から挿入可能な形状・寸法を有している場合、ストッパが複数の部材から構成され、各部材が開口溝から挿入可能な形状・寸法を有している場合、が挙げられる。
【０００８】
好ましい態様では、前記ストッパは、ガイドレール下方部位の開口部全閉時のスクリーン部に対応する部位に沿って長さ方向に延出する長尺状の本体を備え、前記本体の下面は床面に接地しており、前記本体の上面に被当接部が形成されている。
【０００９】
好ましい態様では、前記ストッパは、ガイドレール下方部位の開口部全閉時のスクリーン部に対応する部位に沿って長さ方向に延出する長尺状の本体と、前記本体の上面に設けた被当接部と、を備えており、前記本体の幅寸法はガイドレールの開口溝の幅寸法よりも小さい寸法を有しており、前記被当接部はガイドレールの開口溝から挿入可能な形状・寸法を有している。
【００１０】
好ましい態様では、前記レールカバーは、開口部全閉時のスクリーン部に対応する部位に位置して設けてある。また、一つの態様では、前記レールカバーは、ガイドレールの前記開口溝より幅狭のガイド溝を形成する。
【発明の効果】
【００１１】
本発明では、ガイドレールの底部に設けたストッパによってシャッターカーテン降下時にスラット部が所定の高さ位置よりも下方に降下することを防止している。ストッパをガイドレール内部に設けることで、降下するシャッターカーテンとストッパとの間に指が挟まってしまうようなことがない。また、シャッターカーテンのストッパをガイドレール側部に形成したような場合には、降下するシャッターカーテンが当接した時にガイドレールが拡開してしまうおそれがあるが（ガイドレールが拡開するとスラット部がストッパで停止せずに下方に落ち込んでしまうおそれもある）、本発明では、降下するシャッターカーテンをガイドレール底部に設けたストッパで受けることで、ガイドレールが拡開してしまうようなことがない。そして、スクリーン部の幅寸法をスラット部の幅寸法よりも小さい寸法とすることで、シャッターカーテンの昇降時にスクリーン部がストッパに接触して昇降に支障を来たすようなことを防止する一方、ガイドレール底部に設けたストッパとの接触を避けるべくガイドレールに対して浅く呑み込まれているスクリーン部端部の呑み込み量を、一対のレールカバーが形成するガイド溝によって延長することで、十分なスクリーン部の端部の呑み込み量を確保し、もって、スクリーン部のガイドレールからの抜け出しを防止することができる。
【００１２】
前記ストッパは、ガイドレールの開口溝からガイドレールの内部に挿入可能に構成されているものでは、既設の金属製スラットシャッターのガイドレールを改修することで、本発明のガイドレールを構成することができる。
【００１３】
前記ストッパは、ガイドレール下方部位の開口部全閉時のスクリーン部に対応する部位に沿って長さ方向に延出する長尺状の本体を備え、前記本体の下面は床面に接地しており、前記本体の上面に被当接部が形成されているものでは、降下するシャッターカーテンの当接部が被当接部に当たった時の衝撃をストッパが安定して負担することができる。また、ストッパをガイドレールの開口溝から挿入してガイドレール底部に取り付ける場合には、ストッパが床面に接地しているので、作業性が良好である。
【００１４】
前記ストッパは、ガイドレール下方部位の開口部全閉時のスクリーン部に対応する部位に沿って長さ方向に延出する長尺状の本体と、前記本体の上面に設けた被当接部と、を備えており、前記本体の幅寸法はガイドレールの開口溝の幅寸法よりも小さい寸法を有しており、被当接部はガイドレールの開口溝から挿入可能な形状・寸法を有しているものでは、ストッパを構成する部材がガイドレールの開口溝から挿入できるものでありながら、被当接部の面積を本体の上面よりも大きく取ることができ、ストッパとしての役割をより確実に果たすことができる。
【００１５】
前記レールカバーは、ガイドレールの前記開口溝より幅狭のガイド溝を形成するものでは、ガイドレールの開口溝の溝幅がスクリーン部の厚みに対して大き過ぎる場合に、幅狭のガイド溝を提供して防煙性能を確保することができる。
【発明を実施するための最良の形態】
【００１６】
図１は、開口部全閉時の本発明に係る防火シャッターの全体正面図であり、図２は、開口部全開時の本発明に係る防火シャッターの部分側面図である。防火シャッターは、建物開口部左右に立設した一対のガイドレール１と、建物開口部を開閉するシャッターカーテン２と、建物開口部の上方に設けられたシャッターケース３と、シャッターケースの左右に設けられた軸受部４と、軸受部４間に回転可能に軸支された巻取シャフト５と、巻取シャフト５を回転駆動する開閉機６と、を備えている。シャッターカーテン２の上端は巻取シャフト５に連結されており、巻取シャフト５の回転に伴ってシャッターカーテン２がガイドレール１に案内されながら昇降して建物開口部を開閉する。図１ではガイドレール１の内部に位置するシャッターカーテン２の幅方向両端部も示してある。
【００１７】
シャッターカーテン２は、上側のスラット部７と、下側のスクリーン部８と、スクリーン部８の下端の座板部９と、からなる。スラット部７は、複数枚の金属製スラット７０を上下に連設して（図２の例では、インターロック結合）して構成されている。図２において、参照番号３０は、開口部全開時に垂下するスクリーン部８を収納するべく下方に延設されたまぐさ部である。
【００１８】
スクリーン部８は耐火性のシートから構成されており、当該シートの上端を袋状に形成して当該袋状部にフラットバー７１が内装されている。スクリーン部８のシートの下端には座板部９が設けられている。フラットバー７１は、スクリーン部８の幅方向に延出しており、スラット７０と略同じ長さを備えている。フラットバー７１、スクリーン部８の幅方向両端部は、ガイドレール１内に受け入れられる。スクリーン部８の幅寸法は金属製スラット部７の幅寸法よりも小さい寸法に形成されている。
【００１９】
スラット部７とスクリーン部８とは、スラット部７の下端部とスクリーン部８の上端部とを連結することで構成されている。図２の例では、スラット部７とスクリーン部８とは開口幅方向に延出する連結部材７２（上半部と下半部とから段部状に形成されている）を介して連結されており、連結部材７２の両端部に当接部７Ａ（図１参照）が形成されている。当接部７Ａは、別部材を連結部材７２に固定することで形成しても、あるいは、連結部材７２の部分が当接部７Ａを形成するものでもよい。連結部材７２を用いた連結について示したが、スラット部７とスクリーン部８を直接連結してもよく、具体的には、例えば、スラット部７の最下位のスラット７０の面部に、スクリーン部８のフラットバー７１を内装した袋状部の面部を重ね合わせて、両者を螺子で止着してもよい。当接部７Ａについても、スラット部７の最下位のスラット７０の両端部、あるいはその上位のスラット７０の両端部に設けてもよく、あるいは、フラットバー７１の両端部に設けても良い。
【００２０】
図３，４，６，９に示すように、ガイドレール１は、底部１ａと、側部１ｂ，１ｂと、その間に開口溝１ｄを形成する前部１ｃ，１ｃとを備えている。ガイドレール１の下方部位には、シャッターカーテン２が所定の位置まで降下した時に、シャッターカーテン２に形成した当接部７Ａが当接してシャッターカーテン２の降下を停止させるストッパ１０、及び、開口部全閉時のスクリーン部８に対応してレールカバー１１が取り付けられる。
【００２１】
図３（Ａ）、（Ｂ）、（Ｃ）に、ストッパ１０の幾つかの実施例を示す。ストッパ１０は、図示の例では、ガイドレール１の高さ方向に延出する長尺部材から構成されており、ガイドレール１の底部１ａにガイドレール１の高さ方向に沿って立ち上がり状に設けてある。ストッパ１０は、断面視方形状で、高さ方向に延出する本体１００と、本体１００の上面に設けられた、本体１００とは別部材の被当接部１０１とを備えており、本体１００の下面１０２は床面に接地している。本体１００の幅寸法Ｗ３は、ガイドレールの開口溝１ｄの幅寸法Ｗ１よりも小さい寸法に形成されており、本体１００をガイドレールの開口溝１ｄの正面からガイドレール１の内部に挿入可能となっている。被当接部１０１も、ガイドレール１の開口溝１ｄから挿入可能な形状・寸法を備えている。
【００２２】
ストッパ１０の本体１００は、ガイドレール１の開口溝１ｄからガイドレール１の内部に挿入して底部１ａに当接させて、開口溝１ｄから挿入する螺子１０３でガイドレール１に固定することで取り付けられる。ストッパ１０の被当接部１０１は、ガイドレール１の開口溝１ｄからガイドレール１の内部に挿入して本体１００の上面に設けられる。被当接部１０１は、必要であれば、開口溝１ｄから挿入する螺子１０３でガイドレール１に固定される。
【００２３】
図３（Ａ）の形態では、被当接部１０１は平面視方形状を有しており、幅寸法Ｗ４、奥行寸法Ｄ４が、共に、開口溝１ｄより小さい寸法となっている。図３（Ｂ）、（Ｃ）形態では、被当接部１０１は平面視方形状を有しており、幅寸法Ｗ４は開口溝１ｄより大きい寸法であり、奥行寸法Ｄ４が、開口溝１ｄより小さい寸法となっており、図示の態様から９０度回転させた態様で開口溝１ｄからガイドレール１の内部に挿入可能となっている。図３（Ｃ）において、本体１００の下面１０２よりプレート１０２Ａが水平状に延出しているが、これは、プレート１０２Ａを摘んで本体１００を開口溝１ｄからガイドレール内に挿入するようにしたものである。
【００２４】
開口部を閉鎖する際に、降下するシャッターカーテン２の金属製スラット部７の下方部位に形成された当接部７Ａがストッパ１０の上面に形成された被当接部１０１に当接することでシャッターカーテン２の下降が停止する。ストッパ１０の上面の被当接部１０１は、ガイドレール１内で溝幅方向に延出しており、なるべく大面積（Ｗ４を大きく取る）の被当接部１０を形成している。本体１００の下面１０２を床面に接地させることでガイドレール１にかかる負担を小さくすることができるが、ストッパ１０は必ずしも床面まで達していなくてもよく、螺子のみでガイドレール１に固定支持させてもよい。
【００２５】
レールカバー１１は、ガイドレール１の高さ方向に延出する長尺部材からなり、２つの前部１ｃ，１ｃにそれぞれ設けてあり、ガイドレール１の外側に位置して開口部全閉時のスクリーン部８の幅方向端部を前後から挟むように構成されている。図５（Ａ）、図７（Ａ）に示すように、レールカバー１１は、一対のレールカバー１１のもう一方のレールカバーと対向してその間にガイド溝Ｇを形成する第１側部１１ａと、開口部に面する前部１１ｂと、ガイドレール１の前部１ｃに当接する底部１１ｃと、ガイド溝Ｇから離間する側に位置して第１側部ａに対向する第２側部１１ｄと、から断面視方形状を備えた長尺部材である。
【００２６】
スクリーン部８の幅寸法はスラット部７の幅寸法よりも小さい寸法となっている。より具体的には、シャッターカーテン２の下方のスクリーン部８の幅方向両端は、開口部開閉時に昇降するシャッターカーテン２がストッパ１０に接触しないように、ガイドレール１の底部１ａまでは達していない。したがって、スクリーン部８の幅方向両端部は、ガイドレール１内への呑み込みが浅くなっており、スクリーン部８の端部がガイドレール１から抜け出してしまうおそれがある。本発明では、一対のレールカバー１１をガイドレール１の前部１ｃ，１ｃの外側に設けることで、レールカバー１１の対向する第１側部１１ａ間にスクリーン部８の幅方向端部を受け入れるガイド溝Ｇを形成している。ガイドレール１の底部１ａに設けたストッパ１０によって少なくなったスクリーン部８の端部の呑み込み量を、レールカバー１１が形成するガイド溝Ｇによって延長することで、十分なスクリーン部８の端部の呑み込み量Ｄ（図４参照）を確保している。
【００２７】
図４、図５に示すように、防火・防煙シャッターとしてガイドレール１の溝幅Ｗ１がスクリーン部８に対して広すぎる場合には、２つのレールカバー１１は、ガイドレール１の開口溝１ｄの溝幅Ｗ１を狭めて溝幅Ｗ２のガイド溝Ｇを形成するように、ガイドレール１の外側に設けられる。したがって、この実施形態では、レールカバー１１は溝幅を調整する調整部材としての役割を有する。レールカバー１１，１１の第１側部１１ａの上方部位には、降下するスクリーン部８を円滑に案内する傾斜状の第１ガイド面１１Ａが形成されている。図４から明らかなように、第１ガイド面１１Ａは、その間にガイド溝Ｇを形成する対向状の第１側部１１ａの上方部位から互いに離間するように上方に傾斜状に延出しており、一対の第１ガイド面１１Ａが上向き拡開状のガイド部を形成している。第１ガイド面１１Ａは、シャッターカーテン２が降下する時に、座板９やスクリーン部８のシートがレールカバー１１に引っ掛からないように案内する。さらに、レールカバー１１の前部１１ｂの上方部位にも傾斜状の第２ガイド面１１Ｂが形成されている。図５（Ｃ）に示すように、第２ガイド面１１Ｂは、レールカバー１１の前部１１ｂの上方部位から対向する底部１１ｃに向かって上方に傾斜状に延出している。第２ガイド面１１Ｂは、シャッターカーテン２が降下する時に、座板９（開口幅方向にズレているような場合）がレールカバー１１に引っ掛からないように案内する。また、第２ガイド面１１Ｂにより、レールカバー１１の上部が平面であるような場合に比べて、レールカバー１１の上部と座板９の間に指が挟まることを防止でき、角部を無くすことで、特に人が当たった場合の安全性を向上させている。さらに、特に人が当たった場合の安全性を考慮し、レールカバー１１の前面１１ｂと第２側部１１ｄとで形成される角部を高さ方向にわたって傾斜面として（いわゆる面取り）もよい。
【００２８】
図６、図７に示すように、ガイドレール１の溝幅がスクリーン部８に対して適用できる程度に狭い場合には、２つのレールカバー１１は、ガイドレール１の溝幅と同じ溝幅を形成するように、ガイドレール１の外側に設けられる。図６、図７において、図４、図５と同一部材には同一の参照番号が付してあり、これらの部材の説明については、図４、図５に関連した説明を図６、図７の説明に援用することができる。
【００２９】
本発明の防火シャッターは、典型的な態様では、既設の金属製スラットからなるシャッター装置のシャッターカーテンを、上側の金属製スラット部と下側のスクリーン部とからなるシャッターカーテンに改修すると共に、ガイドレールを改修することで構成される。図８に、シャッターカーテンの改修作業を示す。下端に座板９を備えたスクリーン部８の上端部を、吊持された金属製シャッターカーテン７下端の連結部材７２に連結して、上側の金属製スラット部７と下側のスクリーン部８とからなるシャッターカーテンを形成する。図９に、ガイドレールの改修作業を示す。ストッパ１０及びレールカバー１１の取付工程は、一つの態様では、スクリーン部８を取り付けた後（必要に応じてシャッターカーテン２を上昇させて）に行われる。
【００３０】
既設のガイドレール１にストッパ１０を取り付ける場合に、図１０（Ａ）に示すように、ガイドレール１が傾斜して下部で開いていると、図１０（Ｂ）に示すように、ストッパ１０の上面の被当接部１０１に上部のスラット部７に設けた当接部７Ａが当接せずに、シャッターカーテン２のスラット部７がストッパ１０で停止しないで下降を継続してしまうおそれがある。これを防止するために、ガイドレール１の底部１ａとストッパ１０（本体１００）との間にスペーサ１２を設ける。スペーサ１２を設けることで、既設のシャッターのガイドレールが傾斜して下部で開いている場合であっても、ストッパ１０を取り付けることが可能となる。スペーサ１２は高さ方向に延出する板材であり、一つの形態では、３枚のスペーサを用意し、必要に応じて１枚〜３枚を選択して介装する。また、異なる厚みを備えた複数枚のスペーサを用意してもよい。
【産業上の利用可能性】
【００３１】
本発明は、防火・防煙用シャッターに利用することが可能である。
【図面の簡単な説明】
【００３２】
【図１】開口部全閉時におけるシャッター装置の全体正面図である。
【図２】開口部全開時におけるシャッター装置の部分側面図である。
【図３】（Ａ）、（Ｂ）、（Ｃ）は、ストッパの実施形態を示す。
【図４】ガイドレールの開口部の溝幅が広い場合のストッパ及びレールカバーの実施形態を示す。
【図５】図４に示すレールカバーを示す図であり、（Ａ）は平面図；（Ｂ）は（Ａ）においてＢ方向から見た図；（Ｃ）は（Ａ）においてＣ方向から見た図、である。
【図６】ガイドレールの開口部の溝幅が狭い場合のストッパ及びレールカバーの実施形態を示す。
【図７】図５に示すレールカバーを示す図であり、（Ａ）は平面図；（Ｂ）は（Ａ）においてＢ方向から見た図；（Ｃ）は（Ａ）においてＣ方向から見た図、である。
【図８】シャッターカーテンの改修作業を示す。
【図９】ガイドレールの改修作業を示す図であって、図６、図７に対応している。
【図１０】（Ａ）はガイドレールが下部で開いている状態を示す正面図、（Ｂ）は（Ａ）の状態における不具合を説明する図、（Ｃ）はスペーサにより矯正した状態を示す図である。
【図１１】スペーサを示す図である。
【符号の説明】
【００３３】
１  ガイドレール
１ａ  底部
１ｂ  側部
１ｃ  前部
１ｄ  開口溝
７    スラット部
７Ａ  当接部
８    スクリーン部
１０  ストッパ
１０１  被当接部
１１  レールカバー
【図１】
2008220540.tif 000003
【図２】
2008220540.tif 000004
【図３】
2008220540.tif 000005
【図４】
2008220540.tif 000006
【図５】
2008220540.tif 000007
【図６】
2008220540.tif 000008
【図７】
2008220540.tif 000009
【図８】
2008220540.tif 000010
【図９】
2008220540.tif 000011
【図１０】
2008220540.tif 000012
【図１１】
2008220540.tif 000013
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
金属製スラットからなる上側のスラット部と、シートからなる下側のスクリーン部とから構成されたシャッターカーテンと、
前記シャッターカーテンの端部を受け入れて案内するガイドレールと、
を備えた防火シャッターであって、
前記ガイドレールは、底部と、対向状の側部と、その間に開口溝を形成する２つの前部と、を備えており、
前記底部にはガイドレール内側に位置して、シャッターカーテン降下時に当該シャッターカーテンに形成した当接部が当接する被当接部を形成するストッパを設け、
前記スクリーン部の幅寸法は前記ストッパを避けるように前記スラット部の幅寸法よりも小さい寸法となっており、
前記２つの前部にはガイドレールの外側に位置して、開口部全閉時のスクリーン部の幅方向端部をガイドレールの外側で前後から挟むように長尺状レールカバーを対向させて設け、対向する長尺状レールカバー間に、ガイドレールの外側でスクリーン部の幅方向端部を受け入れるガイド溝を形成して、スクリーン部の幅方向端部の呑み込み量を確保してなる、
防火シャッター。
【請求項２】
前記ストッパは、ガイドレールの開口溝からガイドレールの内部に挿入可能に構成されている、請求項１に記載の防火シャッター。
【請求項３】
前記ストッパは、ガイドレール下方部位の開口部全閉時のスクリーン部に対応する部位に沿って長さ方向に延出する長尺状の本体を備え、前記本体の下面は床面に接地しており、前記本体の上面に被当接部が形成されている、請求項１，２に記載の防火シャッター。
【請求項４】
前記ストッパは、ガイドレール下方部位の開口部全閉時のスクリーン部に対応する部位に沿って長さ方向に延出する長尺状の本体と、前記本体の上面に設けた被当接部と、を備えており、前記本体の幅寸法はガイドレールの開口溝の幅寸法よりも小さい寸法を有しており、前記被当接部はガイドレールの開口溝から挿入可能な形状・寸法を有している、請求項１乃至３いずれかに記載の防火シャッター。
【請求項５】
前記レールカバーは、ガイドレールの開口溝より幅狭のガイド溝を形成する、請求項１乃至４いずれかに記載の防火シャッター。
【手続補正２】
【補正対象書類名】明細書
【補正対象項目名】０００６
【補正方法】変更
【補正の内容】
【０００６】
かかる課題を達成するために本発明が採用した技術手段は、金属製スラットからなる上側のスラット部と、シートからなる下側のスクリーン部とから構成されたシャッターカーテンと、前記シャッターカーテン（スラット部及びスクリーン部）の端部を受け入れて案内するガイドレールと、を備えた防火シャッターであって、前記ガイドレールは、底部と、対向状の側部と、その間に開口溝を形成する２つの前部と、を備えており、前記底部にはガイドレール内側に位置して、シャッターカーテン降下時に当該シャッターカーテンに形成した当接部が当接する被当接部を形成するストッパを設け、前記スクリーン部の幅寸法は前記ストッパを避けるように前記スラット部の幅寸法よりも小さい寸法となっており、前記２つの前部にはガイドレールの外側に位置して、開口部全閉時のスクリーン部の幅方向端部をガイドレールの外側で前後から挟むように長尺状レールカバーを対向させて設け、対向する長尺状レールカバー間に、ガイドレールの外側でスクリーン部の幅方向端部を受け入れるガイド溝を形成して、スクリーン部の幅方向端部の呑み込み量を確保してなる、防火シャッター、である。前記シャッターカーテンに形成した当接部は、シャッターカーテンの部分でも、シャッターカーテンに取り付けられた部材でもよい。一つの好ましい態様では、当接部は、開口部全閉時のスクリーン部の上端の高さ位置に略対応する部位に形成される。
【手続補正３】
【補正対象書類名】明細書
【補正対象項目名】００１０
【補正方法】変更
【補正の内容】
【００１０】
前記レールカバーは、開口部全閉時のスクリーン部に対応する部位に位置して設けてある。また、一つの態様では、前記レールカバーは、ガイドレールの前記開口溝より幅狭のガイド溝を形成する。
【手続補正書】
【提出日】平成20年6月6日(2008.6.6)
【手続補正１】
【補正対象書類名】特許請求の範囲
【補正対象項目名】請求項１
【補正方法】変更
【補正の内容】
【請求項１】
金属製スラットからなる上側のスラット部と、シートからなる下側のスクリーン部とから構成されたシャッターカーテンと、
前記シャッターカーテンの端部を受け入れて案内するガイドレールと、
を備えた防火シャッターであって、
前記ガイドレールは、底部と、対向状の側部と、その間に開口溝を形成する２つの前部と、を備えており、
前記底部にはガイドレール内側に位置して、シャッターカーテン降下時に当該シャッターカーテンに形成した当接部が当接する被当接部を形成するストッパを設け、
前記スクリーン部の幅寸法は前記ストッパを避けるように前記スラット部の幅寸法よりも小さい寸法となっており、
前記２つの前部にはガイドレールの開口溝の外に位置して、開口部全閉時のスクリーン部の幅方向端部をガイドレールの開口溝の外で前後から挟むように長尺状レールカバーを対向させて設け、対向する長尺状レールカバー間に、ガイドレールの開口溝の外でスクリーン部の幅方向端部を受け入れるガイド溝を形成して、スクリーン部の幅方向端部の呑み込み量を確保してなる、
防火シャッター。
【手続補正２】
【補正対象書類名】明細書
【補正対象項目名】０００６
【補正方法】変更
【補正の内容】
【０００６】
かかる課題を達成するために本発明が採用した技術手段は、金属製スラットからなる上側のスラット部と、シートからなる下側のスクリーン部とから構成されたシャッターカーテンと、前記シャッターカーテン（スラット部及びスクリーン部）の端部を受け入れて案内するガイドレールと、を備えた防火シャッターであって、前記ガイドレールは、底部と、対向状の側部と、その間に開口溝を形成する２つの前部と、を備えており、前記底部にはガイドレール内側に位置して、シャッターカーテン降下時に当該シャッターカーテンに形成した当接部が当接する被当接部を形成するストッパを設け、前記スクリーン部の幅寸法は前記ストッパを避けるように前記スラット部の幅寸法よりも小さい寸法となっており、前記２つの前部にはガイドレールの開口溝の外に位置して、開口部全閉時のスクリーン部の幅方向端部をガイドレールの開口溝の外で前後から挟むように長尺状レールカバーを対向させて設け、対向する長尺状レールカバー間に、ガイドレールの開口溝の外でスクリーン部の幅方向端部を受け入れるガイド溝を形成して、スクリーン部の幅方向端部の呑み込み量を確保してなる、防火シャッター、である。前記シャッターカーテンに形成した当接部は、シャッターカーテンの部分でも、シャッターカーテンに取り付けられた部材でもよい。一つの好ましい態様では、当接部は、開口部全閉時のスクリーン部の上端の高さ位置に略対応する部位に形成される。
【手続補正３】
【補正対象書類名】明細書
【補正対象項目名】００２５
【補正方法】変更
【補正の内容】
【００２５】
レールカバー１１は、ガイドレール１の高さ方向に延出する長尺部材からなり、２つの前部１ｃ，１ｃにそれぞれ設けてあり、ガイドレール１の外側（開口溝の外）に位置して開口部全閉時のスクリーン部８の幅方向端部を前後から挟むように構成されている。図５（Ａ）、図７（Ａ）に示すように、レールカバー１１は、一対のレールカバー１１のもう一方のレールカバーと対向してその間にガイド溝Ｇを形成する第１側部１１ａと、開口部に面する前部１１ｂと、ガイドレール１の前部１ｃに当接する底部１１ｃと、ガイド溝Ｇから離間する側に位置して第１側部ａに対向する第２側部１１ｄと、から断面視方形状を備えた長尺部材である。
【手続補正４】
【補正対象書類名】明細書
【補正対象項目名】００２６
【補正方法】変更
【補正の内容】
【００２６】
スクリーン部８の幅寸法はスラット部７の幅寸法よりも小さい寸法となっている。より具体的には、シャッターカーテン２の下方のスクリーン部８の幅方向両端は、開口部開閉時に昇降するシャッターカーテン２がストッパ１０に接触しないように、ガイドレール１の底部１ａまでは達していない。したがって、スクリーン部８の幅方向両端部は、ガイドレール１内への呑み込みが浅くなっており、スクリーン部８の端部がガイドレール１から抜け出してしまうおそれがある。本発明では、一対のレールカバー１１をガイドレール１の前部１ｃ，１ｃの外側（開口溝の外）に設けることで、レールカバー１１の対向する第１側部１１ａ間にスクリーン部８の幅方向端部を受け入れるガイド溝Ｇを形成している。ガイドレール１の底部１ａに設けたストッパ１０によって少なくなったスクリーン部８の端部の呑み込み量を、レールカバー１１が形成するガイド溝Ｇによって延長することで、十分なスクリーン部８の端部の呑み込み量Ｄ（図４参照）を確保している。
【手続補正５】
【補正対象書類名】明細書
【補正対象項目名】００２７
【補正方法】変更
【補正の内容】
【００２７】
図４、図５に示すように、防火・防煙シャッターとしてガイドレール１の溝幅Ｗ１がスクリーン部８に対して広すぎる場合には、２つのレールカバー１１は、ガイドレール１の開口溝１ｄの溝幅Ｗ１を狭めて溝幅Ｗ２のガイド溝Ｇを形成するように、ガイドレール１の外側（開口溝の外）に設けられる。したがって、この実施形態では、レールカバー１１は溝幅を調整する調整部材としての役割を有する。レールカバー１１，１１の第１側部１１ａの上方部位には、降下するスクリーン部８を円滑に案内する傾斜状の第１ガイド面１１Ａが形成されている。図４から明らかなように、第１ガイド面１１Ａは、その間にガイド溝Ｇを形成する対向状の第１側部１１ａの上方部位から互いに離間するように上方に傾斜状に延出しており、一対の第１ガイド面１１Ａが上向き拡開状のガイド部を形成している。第１ガイド面１１Ａは、シャッターカーテン２が降下する時に、座板９やスクリーン部８のシートがレールカバー１１に引っ掛からないように案内する。さらに、レールカバー１１の前部１１ｂの上方部位にも傾斜状の第２ガイド面１１Ｂが形成されている。図５（Ｃ）に示すように、第２ガイド面１１Ｂは、レールカバー１１の前部１１ｂの上方部位から対向する底部１１ｃに向かって上方に傾斜状に延出している。第２ガイド面１１Ｂは、シャッターカーテン２が降下する時に、座板９（開口幅方向にズレているような場合）がレールカバー１１に引っ掛からないように案内する。また、第２ガイド面１１Ｂにより、レールカバー１１の上部が平面であるような場合に比べて、レールカバー１１の上部と座板９の間に指が挟まることを防止でき、角部を無くすことで、特に人が当たった場合の安全性を向上させている。さらに、特に人が当たった場合の安全性を考慮し、レールカバー１１の前面１１ｂと第２側部１１ｄとで形成される角部を高さ方向にわたって傾斜面として（いわゆる面取り）もよい。
【手続補正６】
【補正対象書類名】明細書
【補正対象項目名】００２８
【補正方法】変更
【補正の内容】
【００２８】
図６、図７に示すように、ガイドレール１の溝幅がスクリーン部８に対して適用できる程度に狭い場合には、２つのレールカバー１１は、ガイドレール１の溝幅と同じ溝幅を形成するように、ガイドレール１の外側（開口溝の外）に設けられる。図６、図７において、図４、図５と同一部材には同一の参照番号が付してあり、これらの部材の説明については、図４、図５に関連した説明を図６、図７の説明に援用することができる。